(57)【要約】【課題】一定の重量のあるボール類でも、変化に富んだ転動をしながら落下させ、これを捕捉する技術を競わせると共に、落下したボール類を自動的に回収して再度上昇させ、転動落下させる循環作動型の遊技機を提供することを課題とする。【解決手段】本発明は、斜面を転動落下する多数の玉４を収容し該玉４を上方の玉出し部２９に向って上昇搬送して放出する玉供給部２６と、放出された玉４を受け止めて下方に向って転動落下させる傾斜面より成り、転動落下する玉４の移動を不規則に変化させる凹凸部を表面に設けた転動部２１と、該転動部２１の下降端側で落下して来た玉４を受け具を用いて人為的に受取る捕捉部２２と、該捕捉部２２で捕捉されなかった玉４を回収して前記玉供給部２６に返送する回収部２４とを備える。【選択図】図１
2010017415.tif 000002
【特許請求の範囲】
【請求項１】
斜面を転動落下する多数の玉（４）を収容し該玉を上方の玉出し部（２９）に向って上昇搬送して放出する玉供給部（２６）と、放出された玉（４）を受け止めて下方に向って転動落下させる傾斜面より成り、転動落下する玉（４）の移動を不規則に変化させる凹凸部を表面に設けた転動部（２１）と、該転動部（２１）の下降端側で落下して来た玉（４）を受け具を用いて人為的に受け取る捕捉部（２２）と、該捕捉部（２２）で捕捉されなかった玉（４）を回収して前記玉供給部（２６）に返送する回収部（２４）とを備えた遊技機。
【請求項２】
玉供給部（２６）内に玉を収容する収容部（２３）と、上昇搬送するリフター（４６）とを設けてなる請求項１の遊技機。
【請求項３】
収容部（２３）が内部に水を収容し、多数の玉（４）を浮遊状態で収容する水槽状の容器からなる請求項２の遊技機。
【請求項４】
リフター（４６）が収容部（２３）内に浮遊する玉（４）を掬い取る通水性を有するバケット（４７）と、該バケット（４７）を取付けた回転することにより昇降させるコンベア（５６）からなる請求項２又は３の遊技機。
【請求項５】
バケット（４７）の底部が収容した玉（４）を放出する方向に下降傾斜し、放出側の開放部を開閉するダンパー状の開閉蓋（６７）を下降傾斜側に設けるとともに、バケット（４７）が玉出し部（２９）に向って上昇した際に上記開閉蓋（６７）側に当接して開閉蓋（６７）を開作動させることにより、バケット（４７）内の玉（４）を玉出し部（２９）放出するカム（６６）をコンベア（５６）に設置してある請求項４の遊技機。
【請求項６】
捕捉部（２２）に落下した玉（４）を収容部（２３）に返送する回収部（２４）をシュートによって構成した請求項１，２，３、４又は５の遊技機。
【請求項７】
捕捉部（２２）又は転動部（２１）上端側から水を噴出する給水口（４３）を設け、収容部（２３）、給水口（４３）、捕捉部（２２）間を循環する水の循環路を形成するとともに、捕捉部（２２）から収容部（２３）に返送する玉（４）を水流により若しくは水流の助力により搬送させる請求項３，４，５又は６の遊技機。
【請求項８】
転動部（２１）の傾斜面の左右両側に側方への玉（４）の落下を防止しながら下方への移動を案内するガイド壁（４１）を形成すると共に、傾斜面上に転動中の玉（４）が接触して玉（４）の転動に変化を与える多数のピン又は釘状の案内突起（４２）を凹凸部として配置してなる請求項１，２，３，４，５，６または７の遊技機。
【請求項９】
玉供給部（２６）にシャボン玉（７６）を形成して放出するシャボン玉形成機（２８）を設置すると共に、形成されたシャボン玉（７６）を外部上方に放出させる気泡放出口（７７）を設けてなる請求項請求項１，２，３，４，５，６、７または８の遊技機。
【発明の詳細な説明】
【技術分野】
【０００１】
この発明は、遊技機に関する。
【背景技術】
【０００２】
従来、主にボール等の玉を連動落下させながらその挙動を人手による操作で、落下位置や軌道軌跡を人為的に操作する遊技機が知られている（特許文献１参照）。一方、機体内の空気中に送風によって浮遊する中空の玉を掬い取る技を競う遊技具も特許文献２に示すように知られている。
【特許文献１】特開２００３−１３５８３８号広報
【特許文献２】特開平１１−１８８１７４号広報
【発明の開示】
【発明が解決しようとする課題】
【０００３】
しかし、上記特許文献１の発明では、玉の挙動制御は行えるが、不規則に変動する玉を捕捉するのみではなく、同文献上の発明では下方から上向きの逆風によりピンポン玉を浮遊させながらこれを掬い取るものの、送風により浮遊動できる軽量のもの以外には適用できないという制限がある。
この発明は、一定の重量のあるボール類でも、変化に富んだ転動をしながら落下させ、これを捕捉する技術を競わせると共に、落下したボール類を自動的に回収して再度上昇させ、転動落下させる循環作動型の遊技機を提供する。
【課題を解決するための手段】
【０００４】
上記課題を解決するための遊技機は、第１に、斜面を転動落下する多数の玉４を収容し該玉４を上方の玉出し部２９に向って上昇搬送して放出する玉供給部２６と、放出された玉４を受け止めて下方に向って転動落下させる傾斜面より成り、転動落下する玉４の移動を不規則に変化させる凹凸部を表面に設けた転動部２１と、該転動部２１の下降端側で落下して来た玉４を受け具を用いて人為的に受取る捕捉部２２と、該捕捉部２２で捕捉されなかった玉４を回収して前記玉供給部２６に返送する回収部２４とを備えたことを特徴としている。
【０００５】
第２に、玉供給部２６内に玉４を収容する収容部２３と、上昇搬送するリフター４１とを設けてなることを特徴としている。
【０００６】
第３に、収容部２３が内部に水を収容し、多数の玉４を浮遊状態で収容する水槽状の容器からなることを特徴としている。
【０００７】
第４に、リフター４１が容器内に浮遊する玉４を掬い取る通水性を有するバケット５１と、該バケット５１を取付けた回転することにより昇降させるコンベア５６からなることを特徴としている。
【０００８】
第５に、バケット５１の底部が収容した玉４を放出する方向に下降傾斜し、放出側の開放部を開閉するダンパー状の開閉蓋８２を下降傾斜側に設けるとともに、バケット５１が玉出し部２９に向って上昇した際に上記開閉蓋８２側に当接して開閉蓋８２を開作動させることにより、バケット５１内の玉４を玉出し部２９放出するカム６１をコンベア５６に設置してあることを特徴としている。
【０００９】
第６に、捕捉部２２に落下した玉４を収容部２３に返送する回収部２４をシュートによって構成したことを特徴としている。
【００１０】
第７に、捕捉部２２又は転動部２１上端側から水を噴出する給水口を設け、収容部２３、給水口４３、捕捉部２２間を循環する水の循環路を形成するとともに、捕捉部２２から収容部２３に返送する玉４を水流により若しくは水流の助力により搬送させることを特徴としている。
【００１１】
第８に、転動部２１の傾斜面の左右両側に側方への玉４の落下を防止しながら下方への移動を案内するガイド壁４１を形成すると共に、傾斜面上に転動中の玉４が接触して玉４の転動に変化を与える多数のピン又は釘状の案内突起４２を凹凸部として配置してなることを特徴としている。
【００１２】
第９に、玉供給部２６にシャボン玉７６を形成して放出するシャボン玉形成機２８を設置すると共に、形成されたシャボン玉７６を外部上方に放出させる気泡放出口７７を設けてなることを特徴としている。
【発明の効果】
【００１３】
以上のように構成される遊技機によれば、玉供給部により上昇搬送せしめたボール等の玉を、斜面を成す転動部により転動落下させる構造にすることで、転動部及び転動部に設けられた案内突起を用いた玉の変化と、玉の挙動変化による視覚的楽しみを創ることにより、従来の遊技機には無い遊技方法を展開できる。また、転動路から落下してきた玉を、捕捉部で受け具を用いて人為的に受取ることを競い合う遊技方法を加えることができる。
【００１４】
さらに、玉供給部で上昇せしめた玉を転動路に転動落下させて、転動部から捕捉部２２に落下した玉を回収部で玉供給部に返送する一連の工程を、従来の玉を扱う遊技機に比べて少ない部品数及び簡単な機構を用いることにより、安価で製作ができる効果がある。
【００１５】
さらに、転動部及び捕捉部に設けた給水口を設けて収容部、給水口、捕捉部間に水の循環路を形成することにより、玉を、捕捉部、収容部間に水流により若しくは水流の助力により円滑に配送する効果がある。
【００１６】
さらに、通水性を有する篭状のバケットを用いることにより、バケットの水への進入抵抗を減らして通水を容易にすると共に、バケット壁面に設けられた孔により、水面及び水中での玉に対するバケットの押出し抵抗を減らして、玉を掬いやすくする効果がある。
【００１７】
さらに、バケットに設けられた開閉蓋により、開閉蓋を閉じた状態での水面及び水中での玉の押出しと掬い上げを円滑にし、またバケット上昇時における玉の保持を行い、また開閉蓋を開いた状態で玉の玉出し部への中継を容易にする効果がある。
【００１８】
さらに、シャボン玉形成機により、遊技形態や遊技機の設置場所に合わせた多種多様な演出が可能になり、場所を問わずに老若男女が楽しむことができる効果がある。
【発明を実施するための最良の形態】
【００１９】
以下、図示する例に基づき発明の実施形態を説明する。
図１、２は、本発明の遊技機１の正面斜視図及び後方斜めから見た要部斜視図である。遊技機１は、機体前側にある遊技部２と、本体部３から構成され、本体部３で配送された玉４を、遊技部２上部から転がして下方において受け具を使って人為的に受取る構造である。
【００２０】
遊技部２の構成を説明する。遊技部２は、全体をカバー体で覆われており、遊技部２前面にある遊技部前側カバー体１１と、遊技部２側面にある遊技部左側カバー体１２、遊技部右側カバー体１３と、遊技部２底面にある遊技部底側カバー体１４と、遊技部２上側の上側カバー体を兼ねる玉４を通過させるための転動部２１から成る。また、遊技部前カバー体１１には、後述する捕捉部２２が取付けられている。
【００２１】
図２に示すように、玉４が転動部２１を転動落下することにより、捕捉部２２で捕捉される。遊技部２内側には、捕捉部２２から本体部３内にある収容部２３に玉４を搬送するための回収部２４が設けられている。
【００２２】
また、本体部３の構成を説明する。本体部３は図２に示すように、玉４を収容するための収容部２３と、収容部２３から上方へ玉を上昇させる後述する玉供給部２６及び玉供給部２６が取付けられたフレーム２７及び遊技を演出するためのシャボン玉形成機２８と、玉４を転動部２１に送出すための玉出し部２９から構成される。
【００２３】
本体部３は、カバー体で覆われており、本体部３の左右側面にある本体部左側カバー体３１、本体部右側カバー体３２と、後方にある本体部後方カバー体３３と、本体部前側で転動部２１上端垂直方向にある本体部前側カバー体３４と、本体部底側にある本体底側カバー体３６と、本体部３の上側にある本体部上側カバー体３７から構成される。
【００２４】
ここで、遊技機１における玉４の移動経路は、前述した本体部３の収容部２３から、玉供給部２６を用いて玉４を上昇させ、玉出し部２９から遊技部２の転動部２１に対して玉４を放出することにより玉４を捕捉部２２に到達させて、回収部２４により再度本体部３の収容部２３に配送するようになっている。
【００２５】
次に、遊技部２の構成を説明する。遊技部２における転動部２１は、後述する本体部３に形成された玉出し部２９から送出された玉４を通過させて捕捉部２２に送るための通路である。転動部２１は平面状の板部材で形成されており、遊技部２上側に成型されており、転動部２１上側にある玉出し部２９から、転動部２１下側にある捕捉部２２に対して傾斜を形成している。さらに、転動部２１の傾斜面の左右両側に、一定高さを持つガイド壁４１を設けてある。
【００２６】
また、転動部２１表面には、多数の案内突起（釘）４２が転動部２１全体に転動部２１表面に対して垂直に取付けられており、釘間距離を転動させる玉４の外形よりも大きく離間させてある。
【００２７】
加えて、転動部２１上端側には、水を噴射するための給水口４３を下降傾斜面に対して複数設け、後述する収容部２３、給水口間をホース（図示しない）で連結している。
【００２８】
次に、捕捉部２２は、遊技部２前側の低位置に設けられており、転動部２１により転動落下した玉４を捕捉する場所である。板部材をコの字型に形成して、コの字型開口部が上側に向くようにして、さらに捕捉部２２全長が遊技部２前側の全幅と一致させるように遊技部２前面に取付けてある。また、捕捉部２２で回収された玉４を後述する収容部２３に配送するために、捕捉部２２を遊技部２前側に対して右向きに傾斜させて、捕捉部２２右端の遊技部２前側に開口部４４を設けることにより、開口部４４により捕捉部２２端部が遊技部２内右端部にある回収部２４と接続される。
【００２９】
また、捕捉部２２には、水を噴射するための給水口４３を下降に対して複数設け、後述する収容部２３、給水口間をホース（図示しない）で連結している。
【００３０】
回収路２４は、遊技部２内の右側に設けられており、板部材をコの字型に形成して、コの字型開口部が上側に向くように形成される。捕捉部２２に接続された回収路２４端部から本体部３の収容部２３に隣接する他方の端部が、収容部２３に向い下方傾斜しながら延長形成させている。回収部２４横幅は玉が複数個同時に通過するのに十分な寸法であり、また捕捉部２２から収容部２３に向けて水を流した場合には十分な流水路が確保される。
【００３１】
次に、図３、４に示すように本体部３要部について説明を行う。
本体部３の役割は、遊技部２から本体部３収容部２３に配送された玉４を後述するリフター４６により上方に配送し、上方にある玉出し部２９から放出することと、リフター４６と連動したシャボン玉形成機２８を動作させることにある。ちなみに、収容部２３と、リフター４６とを併せて玉供給部２６と称する。
【００３２】
本体部３の収容部２３は、玉供給部２６下側に設置されている。該収容部２３は、上側が開口した箱型に形成されており、収容部２３深さは本体部３底面から玉供給部２６下端までとしている。また、後述するバケット４７が、収容部２３内で移動しながら玉を掬う際に、バケット４７が収容部２３底面や壁面に接触しないために十分な収容部２３の開口部広さと、容量が確保されている。ちなみに収容部２３は、本体部右側カバー体３２に設けられた収容部２３取出し口４８から出入れが自在である。
【００３３】
フレーム５１は、金属製であり、金属製角材を複数組み合わせることにより形成されている。図２に示すように、フレーム５１は二本の角材を相対する方向に傾斜立設させることにより三角形状を成し、三角形状下側を直線状角材にて連結させることにより、フレーム５１を形成すべき片側のフレーム（右側フレーム５１ａ）を成している。右側フレーム５１ａと同型のフレームである左側フレーム５１ｂを用意し、右側フレーム５１ｂと左側フレーム５１ａの上方及び下方を直線角材にて本体部３底面と平行に連結して、フレーム５１ａ及びフレーム５１ｂと直線角材をビスにより固定して形成されたフレーム５１を補強する。組上げたフレーム５１は本体部底側カバー体３６に固定用金具で固定される。
【００３４】
図２、３に示すように、フレーム５１は、上下二箇所についてドライブシャフト５３が渡されて、ドライブシャフト５３は固定具を用いてフレーム５１に固定されている。ドライブシャフト５３は、回転自由な状態（遊転状態）でフレーム５１に支持されている。
【００３５】
上下一対のドライブシャフト５３には、歯車が取付けられており、上下ドライブシャフト５３の歯車にチェーン５４が掛けられることで、コンベア５６が形成されている。コンベア５６は右側フレーム２７と左側フレーム２７近傍に取付けられている。また、コンベア５６下側には縦方向に角材が渡されて、端部を左右フレーム５１に連結している角材に連結固定することでフレーム５１及びコンベア５６部分の補強を行っている。
【００３６】
リフター４６は、前述したドライブシャフト５３が回転することにより昇降するコンベア５６と、フレーム５１近傍にある背面パネル裏側に取付けられた電動機５８と、電動機５８に繋がれたチェーン５４と、チェーン５４が掛けられたスプロケット５９から構成される。
【００３７】
コンベア５６のチェーン５４には、後述するバケット４７が取付けられたおり、玉４を収容部２３から掬い上げて上方へ配送するためのバケット４７が設けられている。バケット４７は金属製であり、箱型に形成されている。バケット４７は、チェーン５４外側側面に取付けられたブラケット６１中央に加工されたネジ孔を用いてビス留めされている。ブラケット６１は、チェーン５４にバケット４７上面がドライブシャフト５３と平行になるように一定間隔に取付けられている。
【００３８】
フレーム５１の、リフター４６の下側に、リフター６１と平行して背面板６６が取付けられている。背面板６６は、板状部材であり、縦方向の長さは上下方向ともにスプロケット５９に近接し、横方向の長さは、左側フレーム５１ａと右側フレーム５１ｂの離間距離と等しい。
【００３９】
次に図５に示すように、カム６６について説明する。カム６６は合成樹脂製であり、台形を成して左側フレーム５１側面のチェーン５４外側（遊技部２側）にビス留めされている。コンベア５６によりバケット４７が上昇すると、バケット４７の玉出し部２９側に取付けられた開閉蓋６７の突部６８がカム６６上部に当接する高さになる。
【００４０】
次に、玉出し部２９は、本体部３前面側にあり、転動部２１上辺と本体部３が接する中央位置に半円状の穴を形成して設けられている。半円の高さは、バケット４７がコンベア５６を上昇した際に後述する開閉蓋８２が開き始める地点から、バケット４７の上昇位置が最高となる地点と一致する。
また、バケット４７に近接する位置から玉出し部２９に傾斜させて、プレート状の中継路７１を設ける。
【００４１】
ここで、図６に示すシャボン玉形成機２８について説明する。シャボン玉形成機２８は、本体部３のカバー体上側に取付けられており、リフター４６と連動することにより、シャボン玉形成機２８を動作させて、シャボン玉７６を形成することで本体部３上部に設けられた開口部の気泡放出口７７から本体部３上方へ放出する。
【００４２】
シャボン玉形成機２８は、筒状に形成された網状体７８と、網状体７８を回転させるためのシャフト８１と、シャフト８１に連結されて玉供給部２６と連動させるためのスプロケット８２及びベルト８３から成り、さらに、網状体７８に空気を送り空気を吹き付けるためのノズル８４を備えた空気管８６と、シャボン玉溶液８７を入れるための容器８８から構成される。具体的には、網状体７８中心に固定されたシャフト８１を回転軸として回転させる。シャフト８１端部が容器内側から容器外側に向けてベアリング機構８９を配しながら貫通し、スプロケット５８が垂直に取付けられているため、網状体７８の回転方向はスプロケット８２と同方向であり、即ちリフター４６におけるコンベア５６の歯車の回転方向と同一である。シャフト８１の他端部は、該容器反対側の内側から容器外側に向けてベアリング機構８９を配して貫通している。これにより、容器８８の内側において網状体７８が回転できる構造としている。
【００４３】
また、網状体７８内側には、空気管８６が挿通固定され、ノズル８４が上側に対して開口している。空気管８６は別装置のポンプ（図示しない）に対してエアホース（図示しない）で繋がれることにより、ポンプからの空気をエアホースを使い空気管８６内に通して、空気をノズル８４から放出させる。
【００４４】
図７のように、バケット４７には、板部材で形成され、側面がほぼ三角形となっており、斜辺が玉出し部２９方向に下降傾斜している。また、バケット４７側面及び底面にはスリット状の孔９１が複数加工されている。さらに、バケット４７の玉放出方向（玉出し部２９方向）には、放出側の開放部を開閉するダンパー状の開閉蓋６７を設けている。開閉蓋６７は、バケット４７開放部より大きい外形を形成している。開閉蓋６７は、バケット４７のコンベア５６側側面にブラケット６１を設けて、ブラケット６１に軸ピン９２を形成することにより、軸ピン９２を回転軸にして開閉蓋８２が時計回り及び半時計周りに回転することことができる。そして、チェーン５４のブラケット６１と、バケット４７の側面間をネジ止めしている。
【００４５】
以下、図示する例に基づき発明の実施形態を説明する。
図５のように、収容部２３に収容されている玉４を掬い上げる際に、リフター４６により下降せしめられたバケット４７は、開閉蓋６７を閉じた状態で収容部２３に貯えられた水に進入するが、バケット４７が金属板で成型されているため、水に進入しやすい。そして、収容部２３の水面及び水中に浮遊している玉４をバケット４７内に取り込もうとする。バケット４７が水面及び水中を移動する際に水圧を受けるが、バケット４７に設けられた孔９１により水圧が減圧されるため、バケット４７による押出し抵抗を減らすことにより、玉４を水面及び水中でバケット４７に掬うことができると共に、玉４を押し逃がしてしまうことは避けられる。
【００４６】
玉４を掬い上げたバケット４７は、玉４をバケット４７内に保持したままリフター４６により上昇する。この際、バケット４７の表面に設けられた孔９１により、バケット４７内及び玉４に残留付着した水の水切りを行う。
【００４７】
さらにバケット４７が玉供給部２６に設けられたカム６６の位置に達すると、カム６６表面に開閉蓋６７の突部６８が当接しながらさらに上昇することで、開閉蓋６７は軸ピン９２を中心に中継路７１に対して時計方向（本体部３右側）に９０度回転する。開閉蓋６７は回転により開いた状態となり、バケット４７の中継路７１側に向けて開口する。
【００４８】
開口したバケット４７は、中継路７１側に対して傾斜しているため、バケット４７内に保持されていた玉４は自然に中継路７１を流れ込む。さらに玉４は、玉出し部２９に対して傾斜している中継路７１により、接続された玉出し部２９に向かい転がりながら玉出し部２９から放出されることになる。
【００４９】
中継路７１に玉４が流れ込んだ後、開閉蓋６７が開いたままの状態のバケット４７は玉供給部２６の最高点に達して、その後に下降する。下降に合わせて、開いていた開閉蓋６７は重力により自然に軸を中心に中継路７１に対して反時計回りに回転し、開閉蓋６７が閉口される。開閉蓋６７が閉口した開閉蓋６７は玉供給部２６により再度収容部２３に向かい下降を行う。
【００５０】
次に、中継路７１から送出された玉４について説明する。
玉４は、転動部２１を捕捉部２２傾斜方向に転動部２１表面を通過していく。玉が転動部２１を通過する際に、転動部２１表面にある釘に玉４が衝突または接触することにより、玉４の転がり軌跡に変化が生じるため、玉出し部２９の転動体出発地点から捕捉部２２におけるゴール地点まで直線的に通過することは極めて少ない。また、転動部２１にはガイド壁４１が設けられているため、玉４が転動部２１を転動落下する際に大きく転動部２１外側に転動した場合、ガイド壁４１に衝突して転動部２１に撥ね返ることで転動部２１から外れて外部へ転がることを防いでいる。
【００５１】
捕捉部２２上方に到達した玉４は、捕捉部２２において網状の受け具（図示しない）を用いて人為的に捕捉する。転動部２１で動きに変化を生じた玉４は、捕捉しようとする者の予想に反した捕捉部２２の位置に転動落下することになり、玉４の到達位置を予想しながら受け具を使い捕捉することが難しくなる。したがって、受け具を使い人為的に捕捉することによる技術や捕捉した量を競う遊技が展開できる。
【００５２】
捕捉部２２で捕捉できなかった玉４は、捕捉部２２底面を傾斜下降方向に転がり、捕捉部２２下降端に連結された回収部２４に送られることにより傾斜下降して収容部２３に返送される。ちなみに捕捉部２２は、遊技部２前面の低い位置に設けられているため、子供や高齢者でも手が届きやすく遊技しやすいことから、老若男女が楽しめる遊技ができる。
【００５３】
次に、シャボン玉形成機２８について説明を行う。
網状体７８を回転させることにより、容器８８に入れられたシャボン玉溶液７７と網状体７８表面が接触して網状体７８表面にシャボン玉溶液８７が付着する。さらに、空気管８６先端に設けたノズル８４から網状体７８内側に向けて空気を送ることにより、網状体７８表面にシャボン玉７６が形成されて網状体７８の遠心力により外側に放出される。網状体７８の回転を続けることにより、連続してシャボン玉７６を形成することになる。
【００５４】
捕捉部２２または転動部２１上端側に設けた給水口４３からポンプ（図示しない）を使い水を噴出させることにより、噴出された水が回収部２４を通り収容部２３へと到達した後、ホースを伝わり給水口４３に戻り、捕捉部２２、転動部２１、収容部２３間を循環する水の循環路を形成する。水の循環により、捕捉部２２から転動部２１に返送する玉４の返送に助力する。
【００５５】
次に本発明の他の実施形態について前述した実施形態と異なる点を説明する。
バケット４７を、チェーン５４に取付けられたブラケット４７に複数取付けることにより、チェーン５４の回転によりチェーン５４に取付けられたバケット４７が収容部２３内の水に通水してからチェーン５４の回転方向と逆に取付けてあるバケット４７が通水するまでの時間間隔が短くなることで、バケット４７が玉４を収容部２３から掬い上げる回数が増え、さらにはバケット４７が掬い上げた玉４を玉出し部２９から転動部２１へ放出する回数も増えることになり、早い展開の遊技が可能になる。
【００５６】
また、シャボン玉形成機２８について、空気管８６のノズル８４をシャフト８１方向に対して複数にすることで、ノズル８４から放出される空気が網状体７８に当たる部分が増えてシャボン玉７６の形成個数を増やすことが可能である。
【００５７】
遊技部２と本体部３は分離可能であるため、転動部２１の案内突起４２の数や場所を変更することで、遊技内容や難易度を変えることができる。
【００５８】
さらに転動部２１表面の意匠を変更することにより、設置場所や遊技機１を使用する年齢層に応じた演出が可能になる。
【００５９】
加えて、転動部２１表面の案内突起４２や構造に、玉４の整流機能を設けることで、収容部２３内に収容された玉４を、玉４以外の物体や材料をバケット４７により掬い上げて選別、捕捉するといった遊技目的以外の産業上での使用も可能になる。
【図面の簡単な説明】
【００６０】
【図１】遊技機の正面斜視図である。
【図２】遊技機の後方斜めから見た要部斜視図である。
【図３】遊技機の右側側面図である。
【図４】遊技機の背面図である。
【図５】バケットの使用状態を示す要部側面図である。
【図６】シャボン玉形成機の要部側面図である。
【図７】バケットの正面から見た要部斜視図である。
【符号の説明】
【００６１】
１  遊技機
４  玉
２１  転動部
２２  捕捉部
２３  収容部
２４  回収部
２６  玉供給部
４１  ガイド壁
４２  案内突起
４３  給水口
４６  リフター
４７  バケット
５６  コンベア
６６  カム
６７  開閉蓋
【図２】
2010017415.tif 000003
【図３】
2010017415.tif 000004
【図４】
2010017415.tif 000005
【図５】
2010017415.tif 000006
【図６】
2010017415.tif 000007
【図７】
2010017415.tif 000008
【図１】
2010017415.tif 000009